(57)【特許請求の範囲】
【請求項１】
内框に取り付けられる内フレームに枢支され、外框のストライク板に係脱されるカマと、内フレームに上下動可能に設けられると共にカマに連係され、室内側から操作部材で操作される駆動板と、外框に取り付けられる外フレームに向けて駆動板に突設された係合片と、外フレームに装着されたシリンダ錠と、外フレームに上下動可能に案内されると共に、相互に平行で上下方向に延在する第１ラック及び第２ラックを形成した作動板と、外フレームに支承されると共にシリンダ錠の内筒に結合され、かつ、作動板の第１ラックに噛み合う第１ピニオンと、外フレーム内の第１水平軸に回動自在に支承された作動ギアと、この作動ギアに一体的に結合され、第１水平軸に関し対称的に施錠アームと解錠アームとを延伸させた従動部材と、外フレーム内において上記第１水平軸と平行に延在する第２水平軸に回動自在に支承され、作動板の第２ラック及び作動ギアの双方と常時噛み合うアイドルピニオンとを有し、作動板の中立位置からの上昇又は下降に応じて、施錠アーム又は解錠アームを選択的に駆動板の係合片に当接させるようにしたことを特徴とする引戸錠。
【発明の詳細な説明】
【０００１】
【発明の属する技術分野】
この発明は、２つの引戸をその召し合せ部分で施錠するための引戸錠に関する。
【０００２】
【従来の技術】
特公平６−２５５０４号公報に示された引戸錠は、同公報に記載された通り、カマを内框側（室内側の引戸における框）に設けた引戸錠において、２つの引戸間の上下方向のずれ並びに厚さ方向の間隙の静的又は動的な変動に対応できるようにすると共に、確実な施解錠作動が達成できるようにしたものとして提案されている。
【０００３】
しかしながら、その従来の引戸錠には、構造上厚さの薄い引戸に対しては、採用しにくいという問題が残されている。その理由は、例えば、一つには、一対のアームを枢支した外框内のホルダが前後（引戸の厚さ方向）に移動可能にしてあるためである。
【０００４】
また、他の一つには、外框に取り付けられているシリンダ錠はその内筒が前後に摺動される形式であるためで、外框側の錠機構の厚さはかなり厚くなってしまうことになる。
【０００５】
そこで、本願人は先に厚さの薄い引戸に対しても適用できるようにした引戸錠を開発し、特願平７−３２９９１４号として出願した。
【０００６】
その先願の発明に係る引戸錠は、内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び一対の第２ラックを備えた作動板と；外フレームに支承されると共にシリンダ錠の内筒に結合され、かつ、作動板の第１ラックに噛み合う第１ピニオンと；外フレームに支承され、作動板の一対の第２ラックにそれぞれ選択的に噛み合う一対の第２ピニオンと；一方の第２ピニオンに一体的に設けられ、その一方の第２ピニオンの回動に伴って上記駆動板の係合片に当接して解錠位置のカマを施錠位置に振り出させる施錠アームと；他方の第２ピニオンに一体的に設けられ、その他方の第２ピニオンの回動に伴って上記駆動板を係合片に当接して施錠位置のカマを解錠位置に振り戻させる解錠アームと；施錠アーム及び解錠アームを外フレーム内に収納させる方向に付勢させる戻しばねとから成るものである。
【０００７】
ところが、前記の作動板は、例えば１枚の板材をＬ字状に折り曲げて作ってあり、一片に第１ラックを、他片に上下方向について連続する一対の第２ラックを備えているので、その上下動のストロークにおいて第２ラックがシリンダ錠にぶつからないようにするために、中間部分に、すなわち、第１ラックと第２ラックとの間に逃げのためのある長さを要することになる。
【０００８】
作動板の長さが大きくなると、外框側における錠機構の長さも大きくなり、全体を可及的コンパクトに製作するという要望に沿わなくなる。また、本来は同じ大きさに形成されるべき内框及び外框の取付用の切欠きが後者について大きくしなければならないなどの問題点も残されている。
【０００９】
【発明が解決しようとする課題】
この発明の引戸錠は、厚さの薄い引戸に対しても適用できるように改良するとともに、外框側の錠機構の長さを可及的短くすることを目的として提案されたものである。
【００１０】
【課題を解決するための手段】
上記の目的を達成するため、この発明の引戸錠は、内框に取り付けられる内フレームに枢支され、外框のストライク板に係脱されるカマと、内フレームに上下動可能に設けられると共にカマに連係され、室内側から操作部材で操作される駆動板と、外框に取り付けられる外フレームに向けて駆動板に突設された係合片と、外フレームに装着されたシリンダ錠と、外フレームに上下動可能に案内されると共に、相互に平行で上下方向に延在する第１ラック及び第２ラックを形成した作動板と、外フレームに支承されると共にシリンダ錠の内筒に結合され、かつ、作動板の第１ラックに噛み合う第１ピニオンと、外フレーム内の第１水平軸に回動自在に支承された作動ギアと、この作動ギアに一体的に結合され、第１水平軸に関し対称的に施錠アームと解錠アームとを延伸させた従動部材と、外フレーム内において上記第１水平軸と平行に延在する第２水平軸に回動自在に支承され、作動板の第２ラック及び作動ギアの双方と常時噛み合うアイドルピニオンとを有し、作動板の中立位置からの上昇又は下降に応じて、施錠アーム又は解錠アームを選択的に駆動板の係合片に当接させるようにしたことを特徴とする。
【００１１】
【発明の実施の形態】
以下、図面に示す実施例に基づいてこの発明について説明する。
図１及び図２において、符号１０は室内側引戸の框、すなわち内框、２０は室外側引戸の框、すなわち外框をそれぞれ示す。
【００１２】
箱状の内フレーム１は内側化粧板１１及びフロント板１２と共に内框１０にねじ９１、９２等で固定され、同様に箱状をなす外フレーム２は外側化粧板２１、ストライク板２２及び取付板２３と共に、外框２０にねじ９３等で固定される。
【００１３】
内フレーム１内に横軸３１で枢支される錠止部材であるカマ３は、後記の駆動板４の上下動により揺動して外框２０のストライク２２の係入孔２４に係脱して施錠位置又は解錠位置を占める。
【００１４】
内フレーム１内にそのフレーム１の内壁面など任意の案内手段で案内されるようにして上下動可能に設けられた駆動板４は、室内側から手指により操作部材４１で操作される。
【００１５】
操作部材４１は内側化粧板１１と止め板１３とで作られた空間内に納められ、つまみ４２で駆動板４と共に上下動される。操作部材４１と駆動板４との間はピン４３で結合されている。
【００１６】
例えば、横断面がＵ字状に形成された駆動板４内には、外框２０の外フレーム２に向けて係合片４４が一体に又は別体として突設してある。図示例の係合片４４は全体がＬ字状に作られ、ねじ等で駆動板４の底面に固定されている。
【００１７】
上記のカマ３には、厚さ方向にだるま形など非円形の係合孔３２が設けてあり、その係合孔３２に対し駆動板４に固設した駆動ピン４５が遊嵌させてある。
【００１８】
このような駆動ピン４５と係合孔３２とからなる連係手段の存在により、駆動板４が図１で下方へ移動すると、カマ３は矢印Ａのように振り出され、ストライク板２２の係入孔２４に係入されて施錠状態となる。また、駆動板４が逆に上方に戻ると、カマ３は矢印Ａとは逆の方向に振り戻され、図１の解錠位置に復帰する。
【００１９】
なお、図１で符号４６は、不正解錠を防止するため施錠時内フレーム１から水平方向に選択的に突出できるように、駆動板４に連係させて設けた防護フード、４７は駆動板４に設けた上記横軸３１の逃げ孔、３３はカマ３のクリックばね、３４は駆動板４によって作動されカマ３を施錠位置で選択的に固定する錠止片である。
【００２０】
以上に説明した内框１０側の内フレーム１における錠機構については、前出の公告公報等に示され公知であるから、その構造及び作動についての更に詳しい説明はここでは省略する。
【００２１】
一方、図１及び図２に示すように、外框２０に取り付けられる外フレーム２の上方部には、ディスクタンブラー錠その他のシリンダ錠５を、鍵の差し込み方向Ｋがストライク板２２と直角をなすようにして装着してあり、その内筒５１は、テールピース５２を介して外フレーム２内で支承された第１ピニオン５３に結合させてある。
【００２２】
また、外フレーム２内には、そのフレーム２の内壁面など任意の案内手段で案内されるようにして上下動可能に作動板６が設けられている。
【００２３】
その作動板６は、図３に明示するように例えば板状体であり、一端部（図で上端部）の中央に第１ラック６１を、他端部の一方の側端縁に第２ラック６２を、また、第１ラック６１の下方に後述の第１水平軸との干渉を避けるための縦長の逃げ孔６３が開口している。
【００２４】
一方、図１及び図２に示すように、外フレーム２内には、これを水平に貫通する第１水平軸７１、及び外フレーム２の一方の側板内面に植設された第２水平軸７２が配設されている。
【００２５】
上記第１水平軸７１は、上記第１ラック６１の逃げ孔６３を遊嵌するように延在しており、この第１水平軸７１には作動ギア７３が回動自在に支承されている。
【００２６】
この作動ギア７３の内端面には、図４に示すように、全体の形状がへ字形で板状の従動部材７０が一体に装着されている。
【００２７】
図示の実施例では、作動ギア７３の内端面に従動部材７０の板厚と同じ位の高さの環堤部７１ａが同軸に形成されており、この環堤部７１ａを従動部材７０の中央の開口に嵌合させた後皿ねじにより作動ギア７３と従動部材７０とが一体的に結合している。
【００２８】
なお、図２において符号７４は止め輪を示し、図２から明らかなように、作動ギア７３及びこれと一体に結合された従動部材７０は、作動板６と止め輪７４との間における第１水平軸７１に支承されている。
【００２９】
一方、図１及び図２に示すように、第２水平軸７２にはアイドルピニオン７５が回動可能に支承されており、このアイドルピニオン７５は、前記作動板の第２ラック６２及び作動ギア７３と常に噛み合っている。
【００３０】
また、上記従動部材７０は、第１水平軸に関し対称的に延伸する施錠アーム７と解錠アーム７ａとを有しており、これらのアーム７、７ａは作動ギア７３及びアイドルピニオン７５を介して第２ラック６２に連結されることになる。
【００３１】
そして、従動部材７０の第２ラック６２に対する角度位置は、図４に示すように、第２ラック６２のほぼ中央の歯がアイドルピニオン７５と噛み合っているとき、従動部材がほぼ垂直になるように、即ち、施錠及び解錠アーム７、７ａが完全に外フレーム２内に収納されるように設定する。
【００３２】
また、作動ギア７３のモジュール及び歯数は、作動板６の一定の移動量に対し、後述の施錠及び解錠アーム７、７ａの施錠及び解錠の為の回動角度が充分得られるように設定する。
【００３３】
なお、図２においては、図面を明瞭にするため、また、煩雑になるのを避けるため、第２水平軸７２を所謂片持ち軸としたが、これは第１水平軸７１と同様に外フレーム１２を貫通するように設けても良い。
【００３４】
以上の構成のこの発明の引戸錠について、図１及び図２を参照してその作用を説明する。
【００３５】
室内側から操作部材４１のつまみ４２により施解錠操作する場合、外フレーム２内の錠機構とは独立して内フレーム１内の駆動板４が上下動され、カマ３が突出入して施解錠されるものであることは、従来のものと何ら変わりがないので、ここでは鍵を用いた施解錠操作についてのみ説明する。
【００３６】
図１の解錠状態において、シリンダ錠５に対し矢印Ｋで示す方向に鍵（図示しない）を差し込み例えば時計方向に回動させると、第１ピニオン５３と第１ラック６１において噛み合う作動板６が上昇する。
【００３７】
すると、図５に示すように、作動板６上の第２ラック６２と噛み合うアイドルピニオン７５が反時計方向方向に、作動ギア７３が時計方向に夫々回動し、施錠アーム７を図５で時計方向、図１で矢印Ｂ方向に揺動させる。
【００３８】
そして、施錠アーム７が駆動板４の係合片４４を上から押圧して駆動板４を降下させるので、カマ３は矢印Ａのように振り出され、フロント板２２の係入孔２４に係入されて施錠状態となる。
【００３９】
施錠後、鍵を反時計回りに回して元の角度位置に戻し引き抜くことにより施錠操作が完了する。その際に、外框側の錠機構における各部材はいずれも当初の位置（図４参照）に復帰する。
【００４０】
施錠状態の引戸錠を解錠するには、シリンダ錠５に差し込んだ鍵を逆に反時計方向に回動させる。
【００４１】
この場合、前記施錠作動に準じ作動板６が降下すると、図６に示すように、第２ラック６２と噛み合うアイドルピニオン７５が時計方向に、作動ギア７３が反時計方向に夫々回動し、解錠アーム７ａを図６で反時計方向に、図１で矢印Ｃ方向に揺動させる。
【００４２】
そして、解錠アーム７ａが駆動板４の係合片４４を下から押圧して駆動板４を上昇させるので、カマ３は施錠位置から振り戻されて解錠位置に戻ることになる。
【００４３】
解錠後、鍵を時計方向に回して元の角度位置に戻し引き抜くことにより解錠操作が完了する。その際に、外框側の錠機構における各部材はいずれも当初の位置に復帰する（図１参照）。
【００４４】
【発明の効果】
以上に説明したこの発明の引戸錠によれば、外框側の外フレームに装着される錠機構には、従来の引戸錠に見られるホルダのようなストライク板と直角をなす水平方向に可動の枠体を備えていないので、その機構を全体として薄く作ることができ、厚さのごく薄い引戸にも十分適用できるという効果を奏する。
【００４５】
また、外框側の錠機構は歯車機構に直結された従動部材を作動板の上昇、下降に応じて揺動させるだけなので、全体として機構が簡単になり、その分信頼性及び耐久性が向上する。
【００４６】
更にまた、前記本出願人の出願になる特願平７−３２９９１４号に係る発明と比較して、従動部材を構成する施錠アーム又は解錠アームをラックではなくアイドルピニオンで駆動するようにしたので、施錠アーム又は解錠アームをシリンダ錠に近接させて錠機構の上下方向の長さを短く製作でき、外框に対する取付用の切欠きを大きくしないで済むという利点もある。
【００４７】
加えて、この発明の引戸錠は、２つの引戸間の上下方向のずれ並びに厚さ方向の静的又は動的な変動に対応できるばかりでなく、確実な施解錠作動が達成できるものでもある。
【図面の簡単な説明】
【図１】この発明の引戸錠の実施例を示す縦断側面図。
【図２】外側化粧板を外し一部を断面にして示したその背面図。
【図３】作動板の側面図。
【図４】図２のＩＶ−ＩＶ線から見た外側錠機構要部の一部断面側面図で、常態を示す。
【図５】図２のＶ−Ｖ線から見た外側錠機構要部の一部断面側面図で、施錠の為の作動を示す。
【図６】図２のＶＩ−ＶＩ線から見た外側錠機構要部の一部断面側面図で、解錠の為の作動を示す。
【符号の説明】
１０  内框
２０  外框
１  内フレーム
２  外フレーム
２２  ストライク板
３  カマ
４  駆動板
４１  操作部材
４４  係合片
５  シリンダ
５１  内筒
５２  第１ピニオン
６  作動板
６１  第１ラック
６２  第２ラック
６３  逃げ孔
７０  従動部材
７  施錠アーム
７ａ  解錠アーム
７１  第１水平軸
７２  第２水平軸
７３  作動ギア
７５  アイドルピニオン
【図１】
0003880666.tif 000002
【図２】
0003880666.tif 000003
【図３】
0003880666.tif 000004
【図４】
0003880666.tif 000005
【図５】
0003880666.tif 000006
【図６】
0003880666.tif 000007